(57)【要約】【課題】指定された全ての記録情報の複写が容量の関係で不可能な場合、どの程度の記録情報量の複写が可能かを容易に判断することができるようにした。【解決手段】ＨＤ７に記録された記録情報をＤＶＤ９に複写する情報処理装置であり、ＨＤ７の記録情報をＤＶＤ９に複写可能か否かをシステムＣＰＵ２６で判断し、ＤＶＤ９に記録情報の全てを複写できないとき、ＤＶＤ９に複写可能な記録情報の最後の部分を検出し、その検出された部分をデマルチプレクサ１２、音声デコーダ１３及び映像デコーダ１４を介して出力する。【選択図】      図１
2005020481.tif 000002
【特許請求の範囲】
【請求項１】
一の記録媒体に記録された記録情報を他の記録媒体に複写する複写処理、又は当該記録情報を前記一の記録媒体から前記他の記録媒体に移動する移動処理のいずれか一方の処理を行う情報処理装置において、
全ての前記記録情報を対象として前記一方の処理を完了させることが可能か否かを判断する判断手段と、
全ての前記記録情報を対象として前記一方の処理を完了させることができないとき、前記記録情報における当該一方の処理を完了させることが可能な最後の当該記録情報である最終情報を、当該記録情報から検出する検出手段と、
前記検出された最終情報を告知するために出力する出力手段と、
を備えたことを特徴とする情報処理装置。
【請求項２】
請求項１に記載の情報処理装置において、
前記記録情報を構成する情報単位毎に前記一方の処理を実行することを特徴とする情報処理装置。
【請求項３】
請求項１又は２に記載の情報処理装置において、
前記最終情報は、前記一方の処理を完了させることが可能な最後の前記記録情報に対応する音声情報であることを特徴とする情報処理装置。
【請求項４】
請求項１又は２に記載の情報処理装置において、
前記最終情報は、前記一方の処理を完了させることが可能な最後の前記記録情報に対応する文字情報であることを特徴とする情報処理装置。
【請求項５】
請求項１又は２に記載の情報処理装置において、
前記最終情報は、前記一方の処理を完了させることが可能な最後の前記記録情報に対応する動画及び静止画を含む映像情報であることを特徴とする情報処理装置。
【請求項６】
請求項１から５のいずれか一項に記載の情報処理装置において、
前記出力手段は、前記最終情報と、前記記録情報のうち当該最終情報の直後に再生されるべき情報を告知するために出力することを特徴とする情報処理装置。
【請求項７】
請求項１から６のいずれか一項に記載の情報処理装置において、
前記判断手段は、前記記録情報の情報量と、前記他の記録媒体における空き容量と、に基づいて当該判断を行うことを特徴とする情報処理装置。
【請求項８】
請求項１から７のいずれか一項に記載の情報処理装置において、
前記出力手段は、前記他の記録媒体における空き容量を前記最終情報と共に告知するために出力することを特徴とする情報処理装置。
【請求項９】
請求項１から８のいずれか一項に記載の情報処理装置において、
前記出力手段は、前記一方の処理が完了した前記記録情報の情報量を前記最終情報と共に告知するために出力することを特徴とする情報処理装置。
【請求項１０】
一の記録媒体に記録された記録情報を他の記録媒体に複写する複写処理、又は当該記録情報を前記一の記録媒体から前記他の記録媒体に移動する移動処理のいずれか一方の処理を行う情報処理方法において、
全ての前記記録情報を対象として前記一方の処理を完了させることが可能か否かを判断する判断工程と、
全ての前記記録情報を対象として前記一方の処理を完了させることができないとき、前記記録情報における当該一方の処理を完了させることが可能な最後の当該記録情報である最終情報を、当該記録情報から検出する検出工程と、
前記検出された最終情報を告知するために出力する出力工程と、
を備えたことを特徴とする情報処理方法。
【請求項１１】
一の記録媒体に記録された記録情報を他の記録媒体に複写する複写処理、又は当該記録情報を前記一の記録媒体から前記他の記録媒体に移動する移動処理のいずれか一方の処理を行う情報処理装置に含まれるコンピュータを、
全ての前記記録情報を対象として前記一方の処理を完了させることが可能か否かを判断する判断手段、
全ての前記記録情報を対象として前記一方の処理を完了させることができないとき、前記記録情報における当該一方の処理を完了させることが可能な最後の当該記録情報である最終情報を、当該記録情報から検出する検出手段、及び、
前記検出された最終情報を告知するために出力する出力手段、
として機能させることを特徴とする情報処理用プログラム。
【請求項１２】
請求項１１に記載の情報処理用プログラムが前記コンピュータで読取可能に記録されていることを特徴とする記録媒体。
【発明の詳細な説明】
【０００１】
【発明の属する技術分野】
本発明は、一の記録媒体に記録された記録情報を他の記録媒体に複写する複写処理、又は当該記録情報を一の記録媒体から他の記録媒体に移動する移動処理のいずれか一方の処理を行う情報処理装置及び情報処理方法並びに当該処理のための情報処理用プログラム及び当該情報処理用プログラムが記録された記録媒体に関する。
【０００２】
【従来の技術】
従来、一の記録媒体に記録された音声情報及び映像情報等を含む記録情報を他の記録媒体に複写（以下、この複写処理を単にダビングと言う。）する装置として、データレートを変換しない高速（ダイレクト）ダビングが可能な装置において、そのダビング元にて選択された記録情報がダビング先に全てダビング可能であるか否かを判断し、ダビング不可能な場合には表示装置等にエラー情報を表示する機器があった。そして、上述した如き従来のダビング装置では、どの程度の情報量をダビング可能であるのかについては上記表示装置に表示されなかった。
【０００３】
このように、従来の情報処理装置では、一の記録媒体上の全ての記録情報を他の記録媒体にダビング可能であるか否かの判断のみが為されていたため、表示装置にエラー情報が表示された場合には、以下の４つの手段を選択せざるを得なかった。
【０００４】
すなわち、第１の手段としてはダビングすべき記録情報の一部を削除することが考えられ、第２の手段としてはダビング時にデータレート変換を行って、一の記録媒体に記録されていた記録情報よりも低いレートのストリームに加工してデータ容量を減少させることが考えられる。
【０００５】
また、第３の手段としては、元の記録情報においてダビングが可能と思われる部分と、ダビングが不可能と思われる部分とにそれぞれ当該元の記録情報におけるタイトル又はチャプターを分割し、ダビングが不可能と思われる部分を除外してダビングを行う方法が考えられ、第４の手段としては、ダビング元として選択された記録情報を、一部が欠落してダビングされることを承知の上でそのままダビングしてしまうことが考えられる。なお、ここで、タイトルとは、例えば近年一般化しつつあるＤＶＤ（Ｄｉｇｉｔａｌ  ｖｅｒｓａｔｉｌｅ  ｄｉｓｃ）における記録フォーマットで採用されている映画一本分又は演奏会における演奏全体等の記録情報を含む情報単位であり、チャプターとは一のタイトルの中でさらに細分された情報単位のことである。
【０００６】
【発明が解決しようとする課題】
しかしながら、上記第１の手段では、複数の記録情報を選択している場合には有効であるものの、ダビング元の記録情報が一つの場合にはダビングが不可能であると共に、上述したタイトルやチャプターという比較的大きな情報単位で削除する必要があった。
【０００７】
また、上記第２の手段では、結果としてダビング元の記録情報を一度デコードして再度異なるレートでエンコードしてから他の記録媒体に記録することとなるため、そのデコードとエンコードにより記録情報としての画質が劣化すると共に、いわゆる高速ダビングと比較してダビング速度が遅く、通常一倍速でしかダビングすることができないという課題がある。
【０００８】
さらに、上記第３の手段では、どの程度の情報量をダビングすることができるのか事前に判らないため、ダビング前の記録情報の分割操作を何度もやり直すことがあり、加えて必要以上に多くの情報量を削除してしまう可能性があった。
【０００９】
そして、上記第４の手段では、記録情報を実際にダビングしてみないと、全記録情報に対してどの部分までダビング可能であるのか判らないという課題がある。
【００１０】
さらにまた、従来では、これら四つの手段のうち、如何なる手段を選択するのが最も得策かを判断する手段もなかった。
【００１１】
本発明は、上記事情を考慮してなされたもので、その目的の一例としては、指定された全ての記録情報の複写が記録容量の関係で不可能な場合、どの程度の記録情報量の複写が可能かを容易に判断することのできる情報処理装置、情報処理方法、情報処理用プログラム及び記録媒体を提供することを目的とする。
【００１２】
【課題を解決するための手段】
上記課題を解決するため、請求項１に記載の情報処理装置の発明は、一の記録媒体に記録された記録情報を他の記録媒体に複写する複写処理、又は当該記録情報を前記一の記録媒体から前記他の記録媒体に移動する移動処理のいずれか一方の処理を行う情報処理装置において、全ての前記記録情報を対象として前記一方の処理を完了させることが可能か否かを判断する判断手段と、全ての前記記録情報を対象として前記一方の処理を完了させることができないとき、前記記録情報における当該一方の処理を完了させることが可能な最後の当該記録情報である最終情報を、当該記録情報から検出する検出手段と、前記検出された最終情報を告知するために出力する出力手段と、を備えたことを特徴とする。
【００１３】
また、請求項１０に記載の情報処理方法の発明は、一の記録媒体に記録された記録情報を他の記録媒体に複写する複写処理、又は当該記録情報を前記一の記録媒体から前記他の記録媒体に移動する移動処理のいずれか一方の処理を行う情報処理方法において、全ての前記記録情報を対象として前記一方の処理を完了させることが可能か否かを判断する判断工程と、全ての前記記録情報を対象として前記一方の処理を完了させることができないとき、前記記録情報における当該一方の処理を完了させることが可能な最後の当該記録情報である最終情報を、当該記録情報から検出する検出工程と、前記検出された最終情報を告知するために出力する出力工程と、を備えたことを特徴とする。
【００１４】
さらに、請求項１１に記載の情報処理用プログラムの発明は、一の記録媒体に記録された記録情報を他の記録媒体に複写する複写処理、又は当該記録情報を前記一の記録媒体から前記他の記録媒体に移動する移動処理のいずれか一方の処理を行う情報処理装置に含まれるコンピュータを、全ての前記記録情報を対象として前記一方の処理を完了させることが可能か否かを判断する判断手段、全ての前記記録情報を対象として前記一方の処理を完了させることができないとき、前記記録情報における当該一方の処理を完了させることが可能な最後の当該記録情報である最終情報を、当該記録情報から検出する検出手段、及び、前記検出された最終情報を告知するために出力する出力手段、として機能させることを特徴とする。
【００１５】
そして、請求項１２に記載のプログラム用記録媒体の発明は、請求項１１に記載の情報処理用プログラムが前記コンピュータで読取可能に記録されていることを特徴とする。
【００１６】
【発明の実施の形態】
以下、本願の実施の形態について、図面を参照しながら説明する。
【００１７】
なお、以下に説明する実施の形態は、ハードディスク（以下、ＨＤという）から当該ＨＤに記録された情報をＤＶＤにダビングする情報処理装置に対して本発明を適用した場合の実施の形態である。また、以下の実施の形態では、ＨＤを特許請求の範囲における一の記録媒体の例とし、ＤＶＤを特許請求の範囲における他の記録媒体の例とした場合について説明する。
【００１８】
（Ｉ）全体構成及び動作
まず、図１を用いて当該情報処理装置の全体構成及び概要動作について説明する。図１は本発明をＨＤ内蔵のＤＶＤレコーダに適用した実施の形態を示すブロック図である。
【００１９】
図１に示すように、本実施の形態の情報処理装置１は、入力切換器３及び４と、ＡＴＡＰＩ（ＡＴＡｔｔａｃｈｍｅｎｔ  Ｐａｃｋｅｔ  Ｉｎｔｅｒｆａｃｅ）等の規格に準拠したドライブインターフェース５及び６と、ドライブインターフェース５と接続され、ＨＤ７に対する音声情報及び映像情報の書込み又は読出しを行うＨＤドライブ８と、ドライブインターフェース６と接続され、ＤＶＤ９に対する音声情報及び映像情報の書込み又は読出しを行うＤＶＤドライブ１０とを備えている。
【００２０】
また、情報処理装置１は、ＨＤ７からの再生出力又はＤＶＤ９からの再生出力のいずれかを選択する再生切換器１１と、デマルチプレクサ１２と、このデマルチプレクサ１２により当該再生出力から分離された音声信号をデコードする音声デコーダ１３と、デマルチプレクサ１２により当該再生出力から分離された映像信号をデコードするＭＰＥＧ（Ｍｏｔｉｏｎ  Ｐｉｃｔｕｒｅ  Ｅｘｐｅｒｔ  Ｇｒｏｕｐ）デコーダ等である映像デコーダ１４と、この映像デコーダ１４に接続されＭＰＥＧエンコーダからなる映像エンコーダ１５と、音声デコーダ１３に接続されＡＣ（Ａｕｄｉｏ  Ｃｏｄｉｎｇ）−３（５．１チャンネルサラウンド）エンコーダからなる音声エンコーダ１６と、マルチプレクサ１７と、後述するＴＶ受像機により出力される画像上に重畳されるサムネイル（いわゆる代表画像）を生成するサムネイルＯＳＤ（Ｏｎ  Ｓｃｒｅｅｎ  Ｄｉｓｐｌａｙ）１８と、テレビジョン（以下、ＴＶという）信号エンコーダ１９と、Ｄ／Ａコンバータ２０及び２１と、告知するためのＴＶ受像機２２と、を有している。そして、このＴＶ受像機２２には表示画面２２ａが設けられている。なお、本実施形態のデマルチプレクサ１２、音声デコーダ１３及び映像デコーダ１４は、本発明の出力手段を構成する。
【００２１】
さらに、情報処理装置１は、リモコン２３と、リモコン２３から出射された赤外線等の操作用の信号光を受光するリモコン受光部２４と、操作部２５と、検出手段及び判断手段としてのシステムＣＰＵ２６と、メモリ部２７と、表示部２８とを備えて構成されている。
【００２２】
次に、本実施の形態に係る情報処理装置１の概要動作について説明する。
【００２３】
先ず、ＨＤ７に記録されている映像情報等を再生する場合の動作について説明する。
【００２４】
当該映像情報等を再生する場合、入力切換器３は再生切換器１１側に切り換えられており、再生切換器１１は入力切換器３側に切り換えられている。
【００２５】
そして、ドライブインターフェース５はＨＤドライブ８を介して再生すべき記録情報をＨＤ７から検出し、検出された記録情報を、入力切換器３及び再生切換器１１を介してデマルチプレクサ１２に出力する。
【００２６】
次に、デマルチプレクサ１２は、当該出力された記録情報から映像情報と音声情報とを分離し、当該映像情報を映像デコーダ１４へ出力すると共に当該音声情報を音声デコーダ１３へ出力する。
【００２７】
そして、音声デコーダ１３は、出力された音声情報をデコードし、さらにＤ／Ａコンバータ２０によりこれをアナログ信号に変換し、音声出力としてＴＶ受像機２２内の図示しないスピーカに出力する。
【００２８】
一方、映像デコーダ１４は、出力された映像情報をデコードし、サムネイルＯＳＤ１８に出力する。そして、サムネイルＯＳＤ１８は当該デコードされた映像情報に対して必要な文字情報等を重畳し、ＴＶ信号エンコーダ１９に出力する。これによりＴＶ信号エンコーダはサムネイルＯＳＤ１８から出力された映像情報をＴＶ受像機２２用の映像フォーマットに変換する。そして、当該変換された映像情報がＴＶ受像機２２に出力されて対応する画像が表示画面２２ａ上に表示される。
【００２９】
次に、ＤＶＤ９に記録されている映像情報等を再生する場合の動作について説明する。
【００３０】
当該映像情報等を再生する場合、入力切換器４は再生切換器１１側に切り換えられており、再生切換器１１は入力切換器４側に切り換えられている。
【００３１】
そして、ドライブインターフェース６はＤＶＤドライブ１０を介して再生すべき記録情報をＤＶＤ９から検出し、検出された記録情報を、入力切換器４及び再生切換器１１を介してデマルチプレクサ１２に出力する。
【００３２】
これ以降は、デマルチプレクサ１２、音声デコーダ１３、映像デコーダ１４、サムネイルＯＳＤ１８、ＴＶ信号エンコーダ１９、Ｄ／Ａコンバータ２０及び２１並びにＴＶ受像機２２において、上述したＨＤ７から映像情報を再生する場合と同様の処理が実行され、再生されるべき映像が表示画面２２ａ上に表示されると共に再生されるべき音声が図示しないスピーカから放音される。
【００３３】
なお、上述した一連の再生処理において、当該生成処理を制御すべき操作はリモコン２３において実行され、当該リモコン２３からその操作に対応した赤外線が射出されてリモコン受光部２４にて受光され、当該受光された赤外線に対応する操作信号がシステムＣＰＵ２６に出力されることで、当該操作に対応して各構成部材の動作が制御される。ここで、当該操作が操作部２５において直接実行された場合でも同様である。
【００３４】
また、当該システムＣＰＵ２６の処理に必要な情報は、メモリ部２７に一時的に記憶されると共に必要に応じて読み出され、当該処理に供される。さらに、当該処理実行中における必要な情報は、表示部２８において文字情報又は画像等により表示される。
【００３５】
次に、ＨＤ７に記録されている記録情報をＤＶＤ９にダビングする、実施形態に係るダビング動作について説明する。
【００３６】
初めに、当該ダビング動作が実行される前提として、メモリ部２７には、ＨＤ７からＤＶＤ９にダビングすべき複数の記録情報の一覧であるダビングリストが予め記憶されており、当該ダビングリストに対応するリスト情報がシステムＣＰＵ２６に送出される。
【００３７】
一方、システムＣＰＵ２６には、ダビング先であるＤＶＤ９の空き容量の情報がＤＶＤドライブ１０から送出されると共に、ＨＤ７上に記録されている記録情報の属性等を示す管理情報がＨＤドライブ８を介してシステムＣＰＵ２６に送出される。これらにより、システムＣＰＵ２６は、ダビングリスト内の全ての記録情報がＤＶＤ９にダビング可能か否かを判断し、全てのダビングリストがダビング不可能な場合に、一の記録情報におけるダビング可能な最後の部分に相当する最終情報を後述する如く検出してＴＶ受像機２２へ出力する。
【００３８】
一方、実施形態の情報処理装置１においては、高速ダビング及びレート変換ダビングなる二種類のダビング動作が実行可能である。
【００３９】
このうち、高速ダビング時の動作について説明すると、当該高速ダビング時においては、入力切換器３は入力切換器４側に切り換えられており、一方、入力切換器４は入力切換器３側に切り換えられている。
【００４０】
そして、ＨＤ７から検出された記録情報は、ドライブインターフェ−ス５、入力切換器３及び４並びにドライブインターフェ−ス６を介してＤＶＤドライブ１０に入力される。そして、当該ＤＶＤドライブ１０によりＤＶＤ９に必要な情報が複写される。
【００４１】
このとき、ドライブインターフェース５からドライブインターフェース６への転送レートは、一般的にはＤＶＤ９に対する書込み速度により支配され、高速書込みが可能なＤＶＤ９とＤＶＤドライブ１０であればそれだけ高速なダビングが可能である。また、実際に記録されているプログラムストリームのレートは一倍速でのＤＶＤ９の書込み速度より遅いため、一倍速の書込みであっても実時間よりも高速なダビングが可能になる。
【００４２】
次に、他方のダビング処理であるレート変換ダビング時の動作について説明する。
【００４３】
当該レート変換ダビング時においては、入力切換器３は再生切換器１１側に切り換えられており、一方、再生切換器１１は入力切換器３側に切り換えられている。また、入力切換器４はマルチプレクサ１７側に切り換えられている。
【００４４】
この状態において、ＨＤ７から検出された記録情報は、ドライブインターフェース５、入力切換器３及び再生切換器１１を介してデマルチプレクサ１２に入力され、当該デマルチプレクサ１２において映像情報と音声情報とが分離される。
【００４５】
そして、分離された音声情報及び映像情報を夫々音声デコーダ１３及び映像デコーダ１４により復号する。
【００４６】
次に、夫々復号された音声情報及び映像情報は、夫々音声エンコーダ１６及び映像エンコーダ１５により、所望されるレートで再度符号化される。
【００４７】
その後、当該符号化された各情報は、マルチプレクサ１７により合成され、入力切換器４及びＤＶＤドライブ１０を介してＭＰＥＧプログラムストリームとしてＤＶＤ９に記録される。
【００４８】
以上の動作により、レート変換ダビングにおいては、再符号化時に任意のデータレートを用いることにより、そのデータレートに応じて画質はある程度劣化するものの、ダビング前の記録情報の情報量を任意の情報量に減少させることが可能となる。なお、この場合のダビングの転送レートは、映像情報の方の符号化及び復号の速度が支配的で、ほぼ実時間（一倍）でしかダビングすることができないのが現状である。
【００４９】
（ＩＩ）本願に係るダビング動作
次に、実施形態に係るダビング動作として、ＨＤ７に記録されている動画像情報を含む記録情報を当該ＨＤ７からＤＶＤ９へ高速モードでダビングする場合を、図２に示すフローチャート並びに図３及び図４に示す表示画面に基づいて説明する。なお、図３及び図４は実施形態のダビング動作に応じて上記表示画面２２ａに出力される映像の一例を示す図である。
【００５０】
図２に示すように、実施形態のダビング動作においては、予めダビング先のＤＶＤドライブ１０にＤＶＤ９を装着しておく。そして、ステップＳ１において表示画面２２ａに表示される初期メニューからダビングリスト作成モードに移行すると、当該表示画面２２ａには例えば図３に示す表示画像Ｇが表示される。
【００５１】
この表示画面Ｇにおいては、ＨＤ７に記録されている記録情報のうち、ＤＶＤ９へのダビングが可能な記録情報を代表するサムネイル画像ＳＭ１乃至ＳＭ６が表示されており、リモコン２３の操作によりいずれかのサムネイル画像が選択されると、そのサムネイル画像により代表される記録情報の属性（例えば、ＨＤ７への記録時間等）が表示される（図３に示す場合はサムネイル画像ＳＭ１に代表される記録情報がダビングすべきものとして選択された状態を示している。）。そして、いずれかの記録情報が選択された後に図３左に示す各種ボタンＢが操作されることで、ダビングリストへの追加、ダビングリストからの削除又はダビングする順序の変更等が当該ダビングリスト上において可能となる。
【００５２】
すなわち、ステップＳ２において、ダビングしたいＨＤ７側の記録情報（具体的には、上記したタイトル又はチャプター）を選択すると、この選択された記録情報がメモリ部２７内のダビングリストに追加されていき、ダビングしたい全ての記録情報を追加した後確定キーが操作される。これにより、ダビングしたい記録情報が決定され、これに対応したダビングリストが完成する。
【００５３】
次に、ステップＳ３では、ダビング先であるＤＶＤ９の空き容量と、ダビングリストに登録された記録情報の容量の合計から、ダビングリストとして選択されている全ての記録情報がＤＶＤ９へダビング可能か否かを決定する。そして、ステップＳ３の判定において全ての記録情報がダビング可能な場合（ステップＳ３；ＹＥＳ）には、後述するステップＳ６に進む。
【００５４】
そして、当該ステップＳ６において図示しないダビングの開始キーが操作されれば（ステップＳ６；ＹＥＳ）、次のステップＳ８においてダビングを実行し、全てダビングされれば、次のステップＳ９においてダビングモードを終了する。
【００５５】
一方、ステップＳ７の判定において、開始キーが操作されないときは（ステップＳ６；ＮＯ）、次のステップＳ７においてダビング動作を取り消す旨の取消キーが操作されたか否かが確認され、取消キーも操作されていないときは（ステップＳ７；ＮＯ）、ダビングリストを編集し直す必要があるか否か表示部２８等を用いて使用者に確認し（ステップＳ１０）、再編集が必要である旨の操作が為されたときは上記ステップＳ２に戻って当該再編集を行い、再編集も不要であるときは（ステップＳ１０；ＮＯ）そのままステップＳ６に戻って待機し、他方、取消キーが操作されているときは（ステップＳ７；ＹＥＳ）、ダビングモードを停止すべく上記ステップＳ９へ移行する。
【００５６】
また、上記ステップＳ３の判定において、全ての記録情報をダビング先にダビングすることが不可能と判定された場合には（ステップＳ３；ＮＯ）、ダビング先であるＤＶＤ９の空き容量と、ダビングリストに登録されている個々の記録情報の情報量と、ＨＤ７上の記録されている各記録情報に対応する管理情報等と、から、いずれの記録情報におけるいずれの情報単位までがダビングできるかを確認する（ステップＳ４）。ここで、当該情報単位として具体的には、ＤＶＤ９にダビングする場合には、例えば当該ＤＶＤ９の記録フォーマットにおけるＶＯＢＵ（Ｖｉｄｅｏ  Ｏｂｊｅｃｔ  Ｕｎｉｔ）が用いられる。
【００５７】
次に、ステップＳ５では、上記ステップＳ４において一の記録情報のうちＤＶＤ９にダビングすることが可能であるとして確認された最後の部分に相当するＶＯＢＵ（以下、当該ＶＯＢＵを最終ＶＯＢＵと称する）を含むダビング可能な記録情報の最後の部分に相当する動画部分を、図４に例示する表示画面２２ａの左側の最終シーン表示部３１に最終シーンとして表示し、当該最後の動画部分における最後の画面を静止画として表示すると共に、図４における表示画面２２ａの右側の後続シーン表示部３２には、上記最終ＶＯＢＵの直後のＶＯＢＵ以降の動画像を、ＤＶＤ９にダビングできない部分の先頭を示すものとして数秒再生・表示する。
【００５８】
この表示画面２２ａにおける表示により、一の記録情報におけるダビング可能な部分と、その部分以降のダビング不可能な部分が表示されることでこれらの区分（境界部分）を使用者が認識することができる。
【００５９】
また、この表示画面２２ａに最終シーンの含まれる記録情報の名称やＨＤ７への録画日時等のタイトル情報３３を同時に文字で表示すると共に、その最終シーンの当該記録情報中の位置をバーグラフ（いわゆるプログレスバー）３０を用いて表示する。これにより、ＤＶＤ９のダビング可能な残容量及びダビング可能な情報量の双方を表示することができる。
【００６０】
以上説明したように本実施の形態によれば、ＤＶＤ９にダビングが必要な全ての記録情報をダビングできないとき、一の記録情報におけるＤＶＤ９にダビング可能な最終ＶＯＢＵを検出し、その検出された最終ＶＯＢＵを出力することにより、指定された全ての記録情報のダビングが不可能な場合、どの程度までのダビングが可能かをダビング前に容易に判断することができる。これにより、タイトルやチャプターという比較的大きな情報単位で削除する必要がなく、記録情報の分割操作を何度もやり直すことがなくなり、ダビング作業が容易になる。
【００６１】
また、どの記録情報のどのシーンまでダビング可能かを実際の映像で判断することができるので、それ以降がコマーシャル等の不要な部分であるのか、重要な部分であるのかを確認することができ、そのままダビングして問題ないか否かを容易に判断することができる。
【００６２】
さらに、ダビングすべき記録情報においてどの程度の情報量がダビング不可能としてカットされてしまうかを判断することができるので、カットされる情報量に基づいて如何に編集してダビングするかを判断することができる。
【００６３】
また、最終ＶＯＢＵの記録情報中の位置をバーグラフ３０で示すようにしたので、ＤＶＤ９のダビング可能な残容量及びダビング済の記録情報の情報量が表示可能となり、ダビング可能な残容量及びダビング済の記録情報の情報量を目視にて確認することができる。
【００６４】
なお、本願は上記実施の形態に限定されることなく、種々の変更が可能である。例えば、上記実施の形態では、ダビング可能な最終ＶＯＢＵを動画及び静止画を含む映像情報にて表示するようにしたが、これ以外に音声情報や文字情報にて告知するようにしてもよい。
【００６５】
また、上記実施の形態では、上述した実施の形態では、ＨＤ７からＤＶＤ９に記録情報をダビングする場合の実施の形態について説明したが、これ以外に、ＨＤ７に記録されている記録情報をＤＶＤ９に移動する、すなわち、ＨＤ７に元の記録情報を残さないでＤＶＤ９に移動する場合に本願を適用することも可能である。
【００６６】
また、上記実施の形態では、一の記録媒体としてのＨＤ７から他の記録媒体としてのＤＶＤ９へダビングする場合について説明したが、その逆であってもよく、またフラッシュメモリ等の他の記録媒体も使用することができる。
【００６７】
さらに、上記実施の形態では、最終シーン表示画面を二画面表示とし、最終シーンと後続シーンを別々に表示している例について説明したが、これに限らず表示画面を一画面にして最終シーンの表示後に後続シーンを識別可能なマークを付して表示したり、動画ではなく静止画で表示したり、最終シーンだけで後続シーンは表示しないようにしたりすることも可能である。
【００６８】
そして、上記実施の形態では、最終シーンの表示と同時に、当該最終シーンが含まれる記録情報における当該最終シーンの位置を、タイトル番号、タイトル情報並びにバーグラフ３０により示すようにしたが、これ以外に、ダビングリストに含まれる記録情報全体におけるその最終シーンの位置を示す情報を示すようにしてもよい。
【００６９】
さらに、図２に示すフローチャートに対応するプログラムを、フレキシブルディスク又はハードディスク等の情報記録媒体に記録させておき、或いは当該プログラムをインターネット等のネットワークを介して取得した後に記録しておき、これらを汎用のマイクロコンピュータ等により読み出して実行することにより、当該マイクロコンピュータを実施の形態に係るシステムＣＰＵ２６として機能させることが可能である。
【図面の簡単な説明】
【図１】本発明をＨＤ内蔵のＤＶＤレコーダに適用した実施の形態を示すブロック図である。
【図２】図１の実施の形態においてＨＤからＤＶＤへ高速モードでダビングする場合の動作を示すフローチャートである。
【図３】図１の実施の形態においてＴＶ受像機の表示画面から出力される映像を示す説明図である。
【図４】図１の実施の形態においてＴＶ受像機の表示画面から出力される映像を示す説明図である。
【符号の説明】
１…情報処理装置
２…デマルチプレクサ
３、４…入力切換器
５、６…ドライブインターフェイス
７…ＨＤ
８…ＨＤドライブ
９…ＤＶＤ
１０…ＤＶＤドライブ
１１…再生切換器
１２…デマルチプレクサ
１３…音声デコーダ
１４…映像デコーダ
１５…映像エンコーダ
１６…音声エンコーダ
１７…マルチプレクサ
１８…サムネイルＯＳＤ
１９…ＴＶ信号エンコーダ
２０、２１…Ｄ／Ａコンバータ
２２…ＴＶ受像機
２２ａ…表示画面
２３…リモコン
２４…リモコン受光部
２５…操作部
２６…システムＣＰＵ
２７…メモリ部
３０…バーグラフ
３１…最終シーン表示部
３２…後続シーン表示部
３３…タイトル情報
【図１】
2005020481.tif 000003
【図２】
2005020481.tif 000004
【図３】
2005020481.tif 000005
【図４】
2005020481.tif 000006